(57)【要約】【課題】帰宅後、外出時でも、受信通知先、受信画像データ転送先の変更・追加等を容易に行うことができ、かつ、セキュリティも確保されたファクシミリ装置、ファクシミリシステムを提供する。【解決手段】ファクシミリ装置は、公衆回線４と接続されるファクシミリ通信部１７と、ＬＡＮ２及び広域網を介して、端末と通信を行うためのインターフェイス部１８と、ファクシミリを受信した際に、相手方ファクシミリの送信元情報に対応する受信通知先及び／又は受信画像データ転送先を記憶する記憶部を有し、インターフェイス部１８は、受信通知及び／又は受信画像データ転送の追加・変更の設定に関する設定変更情報を、装置と通信可能な端末から受け付け、設定変更情報に基づき、記憶部の受信通知先及び／又は転送先の設定が追加・変更される。【選択図】図２
2009060211.tif 000002
【特許請求の範囲】
【請求項１】
公衆回線によりファクシミリ通信を行うファクシミリ通信部と、
ローカルエリアネットワーク及び広域網を介して、装置と通信可能とされる端末と通信を行うためのインターフェイス部と、
ファクシミリを受信した際に、相手方ファクシミリの送信元情報に対応する受信通知先及び／又は受信画像データ転送先となる前記端末のアドレス情報又はファクシミリ番号を記憶する記憶部を有し、
前記インターフェイス部は、受信通知及び／又は受信画像データ転送の追加・変更の設定に関する設定変更情報を、装置と通信可能な前記端末から受け付け、
前記設定変更情報に基づき、前記記憶部の受信通知先及び／又は転送先の設定が追加・変更されることを特徴とするファクシミリ装置。
【請求項２】
前記記憶部は、前記端末が送信する前記設定変更情報が権限を有する者から送信されているか否か判断するための複数のユーザＩＤ及びパスワードを記憶し、
前記インターフェイス部に、前記端末からのユーザＩＤ及びパスワードの送信があった場合、前記記憶部に記憶されるユーザＩＤ及びパスワードと照合するか否かを判定する判定部を有し、
前記端末からのユーザＩＤ及びパスワードの送信がない場合、及び、前記判定部による判定が照合しない旨の判定結果であった場合、前記記憶部は、受信通知先及び／又は受信画像データ転送先の設定の追加・変更を行わないことを特徴とする請求項１記載のファクシミリ装置。
【請求項３】
前記記憶部は、前記端末から送信されたユーザＩＤ及びパスワードに応じて、追加・変更可能な記憶領域に制限をかけることを特徴とする請求項１又は２に記載のファクシミリ装置。
【請求項４】
前記記憶部は、送信元情報に対応する前記受信通知先及び／又は前記受信画像データ転送先となる複数の前記端末のアドレス情報又はファクシミリ番号を記憶し、
前記設定変更情報は、複数登録された前記受信通知先及び／又は前記受信画像データ転送先の切り替えを指示するものであることを特徴とする請求項１乃至３のいずれか１項に記載のファクシミリ装置。
【請求項５】
日時を計時する計時部を備え、
前記記憶部は、タイマー送信を行う画像データを記憶するとともに、タイマー送信の送信結果通知先のアドレス情報を記憶し、
前記ファクシミリ通信部は、計時部による計時にあわせ、設定された時間に、ファクシミリのタイマー送信を行い、
前記設定変更情報には、前記記憶部に記憶される前記送信結果通知先の設定の追加・変更に関する情報が含まれることを特徴とする請求項１乃至４いずれか１項に記載のファクシミリ装置。
【請求項６】
前記端末に対し、前記端末上で前記設定変更情報に関する入力をするためのＷｅｂ画面のデータを送信するサーバ部を有することを特徴とする請求項１乃至５記載のファクシミリ装置。
【請求項７】
請求項１乃至５記載のファクシミリ装置と、
請求項１乃至５記載のファクシミリ装置と通信可能に接続され、前記端末に対し、前記端末上で前記設定変更情報に関する入力をするためのＷｅｂ画面のデータを送信するサーバ装置を有することを特徴とするファクシミリシステム。
【発明の詳細な説明】
【技術分野】
【０００１】
本発明は、ファクシミリ装置、インターネットファクシミリ装置、複合機等のファクシミリ通信機能を有する装置に関する。又、これらのファクシミリ通信機能を有する装置と接続されるサーバ装置により形成されるファクシミリシステムに関する。
【背景技術】
【０００２】
従来から、ファクシミリ装置、複合機等の、ファクシミリ通信機能（インターネットファクシミリを含む）を有する装置では、ファクシミリ受信時に、ファクシミリの受信を見落とし難くする等の観点から、電子メール等により、受信通知や、受信した画像データの転送を行うものがある。具体的には、ファクシミリ受信時の相手方のファクシミリ番号やメールアドレス等に関連づけて複合機に記憶されるパソコンや携帯電話等の受信通知先や転送先に、受信通知等が複合機から送信される。
【０００３】
このような、受信通知を行う複合機の一例が特許文献１に記載されている。特許文献１には、デジタル複合機と端末が同じネットワークに接続された印刷システムにおいて、デジタル複合機がファクシミリを受信すると、ファクシミリの送信元番号と記憶部に格納されているファクシミリ番号とを照合し、照合結果に基づいて登録している端末のＩＰアドレスを検出してファクシミリ受信通知を送信することを特徴とする印刷システムが記載されている。（特許文献１：請求項３、段落０００８等参照）。
【特許文献１】特開２００４−１９２５４８
【発明の開示】
【発明が解決しようとする課題】
【０００４】
ここで、帰宅後や外出先でファクシミリの受信通知を受け、受信内容を確認できるように、インターネット等を介して接続される外部端末（例えば、パソコンや携帯電話）やファクシミリ装置に、受信通知や画像データの転送を行いたい場合がある。
【０００５】
しかし、複合機等の受信通知先、受信画像データ転送先の設定を変えずに帰宅、外出してしまった場合、帰宅後、外出中は、受信通知等を受けることができないという問題がある。尚、同僚等の他人に頼み、受信通知先、受信画像データ転送先の設定を変えてもらうことも可能ではあるが、複合機等の設定を他人が替えるということは、セキュリティ管理上、好ましくないという問題がある。
【０００６】
反対に、複合機等の受信通知先、受信画像データ転送先の設定を変えて帰宅、外出したものの、受信通知や受信画像データ転送が不要になった場合、複合機等の設定を変更することができないので、そのまま、不要な受信通知や受信画像データ転送が行われてしまうという問題がある。
【０００７】
尚、特許文献１記載の発明は、ＤＨＣＰ機能により、ＩＰアドレスを動的に端末に割り当て、同じネットワークに接続された端末に対する受信通知に止まっており、複合機等の受信画像データ転送先を設定することもできず、又、帰宅後や外出時に社外の端末やファクシミリ装置に対し、受信通知等を送信することもできず、上記の問題を解決することはできない。
【０００８】
本発明は、上記従来技術の問題点に鑑みてなされたものであり、帰宅後、外出時でも、受信通知先、受信画像データ転送先の変更・追加等を容易に行うことができ、かつ、セキュリティ上も安全なファクシミリ装置、ファクシミリシステムを提供することを課題とする。
【課題を解決するための手段】
【０００９】
上記課題を解決するため請求項１に係る発明は、公衆回線によりファクシミリ通信を行うファクシミリ通信部と、ローカルエリアネットワーク及び広域網を介して、装置と通信可能とされる端末と通信を行うためのインターフェイス部と、ファクシミリを受信した際に、相手方ファクシミリの送信元情報に対応する受信通知先及び／又は受信画像データ転送先となる前記端末のアドレス情報又はファクシミリ番号を記憶する記憶部を有し、前記インターフェイス部は、受信通知及び／又は受信画像データ転送の追加・変更の設定に関する設定変更情報を、装置と通信可能な前記端末から受け付け、前記設定変更情報に基づき、前記記憶部の受信通知先及び／又は転送先の設定が追加・変更されることとした。
【００１０】
この構成によれば、使用者が気付いた時点で、受信通知先や受信画像データ転送先の設定を、内部及び外部ネットワークの端末（例えば、自宅のパソコンや携帯電話等）から変更・追加することができる。従って、ファクシミリ装置から希望する場所で、希望する時に、受信通知や受信画像データ転送を受けることができるから、使用者の利便性が高く、受信したファクシミリの確認漏れを防ぐことができる。
【００１１】
又、請求項２に係る発明は、前記記憶部は、前記端末が送信する前記設定変更情報が権限を有する者から送信されているか否か判断するための複数のユーザＩＤ及びパスワードを記憶し、前記インターフェイス部に、前記端末からのユーザＩＤ及びパスワードの送信があった場合、前記記憶部に記憶されるユーザＩＤ及びパスワードと照合するか否かを判定する判定部を有し、前記端末からのユーザＩＤ及びパスワードの送信がない場合、及び、前記判定部による判定が照合しない旨の判定結果であった場合、前記記憶部は、受信通知先及び／又は受信画像データ転送先の設定の追加・変更を行わないこととした。
【００１２】
この構成によれば、ファクシミリ装置の受信通知先や受信画像データ転送先、送信結果通知先の変更、追加を行う権限を有するか、ユーザＩＤとパスワードで確認するから、不正な目的を有する悪意の第三者による受信通知先等の設定の変更、追加を防ぐことができる。従って、情報漏洩を防ぐことができ、セキュリティを確保することができる。
【００１３】
又、請求項３に係る発明は、前記記憶部は、前記端末から送信されたユーザＩＤ及びパスワードに応じて、追加・変更可能な記憶領域に制限をかけることとした。
【００１４】
この構成によれば、受信通知先や受信画像データ転送先、送信結果通知先の変更、追加しようとする者に対して与えられた記憶領域に対してのみ、受信通知先等の設定の変更、追加を行えるように制限をかけることができる。言い換えると、他人の受信通知先等の設定については、変更することができないように制限をかける。従って、セキュリティを高めることができる。
【００１５】
又、請求項４に係る発明は、前記記憶部は、送信元情報に対応する前記受信通知先及び／又は前記受信画像データ転送先となる複数の前記端末のアドレス情報又はファクシミリ番号を記憶し、前記設定変更情報は、複数登録された前記受信通知先及び／又は前記受信画像データ転送先の切り替えを指示するものであることとした。
【００１６】
この構成によれば、受信通知先や受信画像データ転送先や送信結果通知先の設定の変更を行う場合、複数登録された受信通知先等の変更を切り替える指示を与えるものであればよいから、Ｅメールアドレス等のアドレス情報やファクシミリ番号を全て入力する必要がない。従って、受信通知先等の変更を容易に行うことができる。
【００１７】
又、請求項５に係る発明は、日時を計時する計時部を備え、前記記憶部は、タイマー送信を行う画像データを記憶するとともに、タイマー送信の送信結果通知先のアドレス情報を記憶し、前記ファクシミリ通信部は、計時部による計時にあわせ、設定された時間に、ファクシミリのタイマー送信を行い、前記設定変更情報には、前記記憶部に記憶される前記送信結果通知先の設定の追加・変更に関する情報が含まれることとした。
【００１８】
この構成によれば、更に、タイマー送信の送信結果通知先を設定変更情報に含ませることができるので、送信結果通知先の設定変更も外部の端末から行うことができる。
【００１９】
又、請求項６に係る発明は、前記端末に対し、前記端末上で前記設定変更情報に関する入力をするためのＷｅｂ画面のデータを送信するサーバ部を有することとした。
【００２０】
この構成によれば、サーバ部が、Ｗｅｂサーバとして機能し、設定変更情報を入力するためのＷｅｂ画面を端末に表示させることができる。従って、端末では、Ｗｅｂ画面に基づき設定変更情報を入力すればよく、受信通知先、受信画像データ転送先、送信結果通知先の設定の変更、追加を容易に行うことができる。
【００２１】
又、請求項７に係る発明は、ファクシミリシステムは、請求項１乃至５記載のファクシミリ装置と、請求項１乃至５記載のファクシミリ装置と通信可能に接続され、前記端末に対し、前記端末上で前記設定変更情報に関する入力をするためのＷｅｂ画面のデータを送信するサーバ装置を有することとした。
【００２２】
この構成は、サーバ部をファクシミリ装置が有するのではなく、Ｗｅｂサーバ機能を、ファクシミリ装置が属するローカルエリアネットワーク内のサーバに持たせる場合のものである。従って、端末では、Ｗｅｂ画面に基づき設定変更情報を入力すればよく、受信通知先、受信画像データ転送先、送信結果通知先の設定の変更、追加を容易に行うことができる。
【発明の効果】
【００２３】
上述したように、本発明によれば、受信通知先や受信画像データ転送先の設定を、内部や外部ネットワークの端末（例えば、自宅のパソコンや携帯電話等）から変更・追加することができる。従って、ファクシミリ装置から希望する場所で、希望する時に、受信通知や受信画像データ転送を受けることができる。しかも、セキュリティが確保される。
【発明を実施するための最良の形態】
【００２４】
以下、本発明の第１の実施形態について図１〜５を参照しつつ説明する。但し、本実施の形態に記載されている構成、配置等の各要素は、発明の範囲を限定するものではなく単なる説明例にすぎない。尚、本実施形態においては、ファクシミリ装置４１がファクシミリ機能の他、コピー、プリンタ、スキャナとして使用できる複合機１である場合の例について説明する。
【００２５】
まず、図１に基づき、複合機１に係るファクシミリシステムについて説明する。図１は、本発明の第１の実施形態に係るファクシミリシステムの一例を示す構成図である。
【００２６】
まず、図１に示す複合機１が属するＬＡＮ２（ローカルエリアネットワーク）（２点鎖線で図示）内には、例えば、複合機１の他、複合機１と通信可能な端末として複数のＰＣ２１、メールサーバ２２、Ｗｅｂサーバ２３が設けられる。
【００２７】
前記ＰＣ２１は、ノートパソコンやデスクトップパソコンで構成されるユーザ端末であり、表示装置（例えば、ディスプレイ）、入力装置（例えば、キーボード、マウス）、インターフェイスを有し、複合機１とデータの送受信が可能である。これにより、例えば、ＰＣ２１から画像形成を行うデータを送信し、複合機１がこのデータに基づき画像形成を行えば、複合機１をプリンタとして使用することができる（プリンタ機能）。又、複合機１で読み取った原稿の画像データをＰＣ２１に記憶させることにより、複合機１をスキャナとして使用することができる（スキャナ機能）。又、ＰＣ２１からファクシミリ送信する画像データを複合機１に送信することで、相手方ファクシミリ装置４１に直接ファクシミリ送信することも可能である（ファクシミリ機能）。尚、複合機１は、後述する原稿読取部１０、画像形成部１２を有し、これらを用いて、原稿の複写を行うことも可能である（コピー機能）
【００２８】
前記メールサーバ２２は、インターネット３に常に接続され、ＬＡＮ２内の複合機１やＰＣ２１の電子メールの送受信に用いられ、電子メールの送信や受信を行う。メールサーバ２２は、ＳＭＴＰ、ＰＯＰ３、ＩＭＡＰ４等のプロトコルに基づき電子メール通信を提供する。
【００２９】
更に、複合機１をインターネットＦＡＸとして利用する場合、電子メールに送受信する画像データを添付してファクシミリとして通信を行うので、複合機１は、メールサーバ２２内のメールボックスにアクセス可能である。従って、複合機１がインターネットＦＡＸとしてファクシミリ送信を行う場合、複合機１は、相手方インターネットファクシミリ３１のメールアドレス宛の画像データが添付された電子メールを作成し、メールサーバ２２に送信する。又、受信の場合、複合機１は、画像データが添付された電子メールをメールサーバ２２から受け取り、添付された画像データをプリントし、親展ボックス７（詳細は後述）に画像データを送信する。
【００３０】
前記Ｗｅｂサーバ２３は、ＬＡＮ２内のＰＣ２１等の端末や、インターネット３を介して外部からアクセスする端末（外部のＰＣ３２、ＰＤＡ３３、携帯電話３４等）に対し、情報送信を行なうコンピュータであり、ＨＴＭＬ文書や画像などの情報を蓄積し、端末上のＷｅｂブラウザなどのクライアントソフトウェアの要求に応じて、情報を送信する。これにより、端末にＷｅｂブラウザを介してＷｅｂ画面が表示される。
【００３１】
そして、詳細は後述するが、Ｗｅｂ画面上では、ファクシミリの受信通知や転送先等の複合機１の設定を変更することができる。この複合機１の設定変更の際には、例えば、認証のため、ユーザＩＤ及びパスワード入力画面が表示され、ユーザＩＤ及びパスワードが正当であると認められるときのみ、Ｗｅｂサーバ２３は、複合機１の設定変更を受け付ける。言い換えると、Ｗｅｂサーバ２３は、インターネット３を介したリモートアクセスサーバ（ＲＡＳ）のように機能する。
【００３２】
そして、複合機１は、ファイアウォール２４、インターネット３等を介し、インターネットファクシミリ３１、ＰＣ３２、ＰＤＡ３３、携帯電話３４等の端末と接続され、通信可能となっている。又、複合機１は、相手方のファクシミリ装置４１とファクシミリ通信を行うために、公衆回線４（公衆電話回線）とも接続され、ファクシミリ通信が可能である。
【００３３】
次に、図２に基づき本発明の第１の実施形態に係る複合機１の詳細について説明する。図２は、本発明の第１の実施形態に係る複合機１の構成の一例を示すブロック図である。
【００３４】
図２で示すように、複合機１（２点鎖線で図示）は、原稿読取部１０、ワークＲＡＭ１１、画像形成部１２、シート供給部１３、シート搬送路１４、ＨＤＤ１５、フラッシュＲＯＭ１６、制御部５、ファクシミリ通信部１７、インターフェイス部１８、外部記憶装置用インターフェイス１９等を有する。尚、操作パネル６については、図３により、詳細は後述する。
【００３５】
前記原稿読取部１０は、原稿を読み取り、読み取った原稿の画像データを形成する。例えば、原稿読取部１０の上面にはコンタクトガラスが設けられ、原稿読取部１０内には、露光ランプ、反射板、ミラー、レンズ、ＣＣＤセンサ（不図示）等が設けられ、光学的に原稿を走査し、画像データを生成する。即ち、原稿の画像を読み取るスキャナに該当する。又、ＣＩＳ（Contact Image Sensor）によって原稿の読み取りを行うものであっても良い。
【００３６】
前記ワークＲＡＭ１１は、原稿読取部１０により読み取られた画像データを一時的に蓄積し、原稿の画像データに対し、シェーディング補正、ガンマ補正、濃度補正等、各種画像処理を施すことができる高速メモリである。
【００３７】
前記画像形成部１２は、シート搬送路１４よって搬送されてきたシートに対して所定の画像形成を行う。本実施形態での画像形成部１２は、主として、画像形成ユニット１２ａ及び画像形成ユニット１２ａのシート搬送方向下流側に設けられる定着装置１２ｂを備える。尚、複合機１をカラー対応とする場合は、画像形成ユニット１２ａを複数備えるようにしてもよい。
【００３８】
本実施形態での前記画像形成ユニット１２ａは、例えば、感光体ドラム及び感光体ドラムの周囲に配設された帯電装置、現像装置、露光装置、転写ローラ、クリーニング部等を備える（不図示）。
【００３９】
感光体ドラムは所定方向に回転駆動され、帯電装置は、感光体ドラムの表面を所定電位に均一に帯電させる。露光装置は、原稿読取部１０で形成された画像データ、ＰＣ２１から送信される画像データ、受信したファクシミリの画像データに基づき、光により感光体ドラム表面を、走査露光して画像情報に応じた静電潜像を形成する。現像装置は、静電潜像にトナーを供給して現像する。転写ローラと感光体ドラムとの間ではニップが形成され、このニップを通過する際、搬送されてきたシートや中間転写体（不図示）に感光体ドラム上のトナー像が転写される。クリーニング部は、転写の終了後、感光体ドラムの表面に残留するトナーを清掃する。
【００４０】
そして、中間転写体に転写されたトナー像も最終的にシートに転写され、トナー像が転写されたシートは、定着装置１２ｂに送られる。本実施形態における定着装置１２ｂは、例えば、加熱ローラとこれに圧接する加圧ローラとで構成され得る（不図示）。加熱ローラと加圧ローラのニップを、トナー像の転写されたシートが通過することで、トナーが溶融・加熱され、トナー像がシートに定着する。
【００４１】
前記シート供給部１３は、複合機１に対し、画像形成を行う旨の入力がなされると、画像形成部１２に向けてシートを供給する。例えば、シート供給部１３は、各サイズの用紙等のシートが収納されるカセット、各カセットからシートを１枚ずつシート搬送路１４に送り出すピックアップローラ等を備える（不図示）。
【００４２】
前記シート搬送路１４は、シート供給部１３から供給されたシートを、画像形成ユニット１２ａ、定着装置１２ｂを経て複合機１外まで搬送する。シート搬送路１４には、回転駆動する複数の搬送ローラ対やシートの搬送方向を案内するガイド（不図示）が設けられる。
【００４３】
前記ＨＤＤ１５（Hard disk drive）（記憶部に相当）は、大容量の記憶装置である。例えば、原稿読取部１０で読み取られた画像データや、ファクシミリ受信した画像データを記憶する。その他、複合機１の制御に必要となるプログラムや制御データを記憶することもできる。又、ＨＤＤ１５の記憶領域には、親展ボックス７や掲示板ボックスを設けることができ、複合機１本体のみで、親展ボックス機能を実現することも可能である。
【００４４】
このＨＤＤ１５の記憶領域に設けられる複数の親展ボックス７は、利用者や部門ごとの私書箱のように利用するための記憶領域であり、相手方ファクシミリ装置４１の送信元情報により、ファクシミリ受信した画像データが各親展ボックス７に振り分けられて保存される。そして、各親展ボックス７は、送信元に対応する各部署や担当者ごとに割り当てられる。又、各親展ボックス７には担当者や管理者のみアクセス可能として、アクセス制限をかけることもできる。尚、ＨＤＤ１５の記憶領域には、掲示板ボックス（文書ごとに掲示するかを設定し、好きなときに相手先から送信依頼をしてもらい、掲示板ボックスに登録した文書、画像データを取り出してもらえる等、掲示板として利用する記憶領域）を設けることも可能である。
【００４５】
ここで、送信元情報とは、相手方のファクシミリ番号や、インターネットファクシミリを受信した場合の相手方の電子メールアドレス（アドレス情報）、Ｆコード（半角の０〜９、♯、＊、およびスペースを使い、最大２０桁で登録する暗証番号のようなもの。送信先が自己のファクシミリ装置４１についてＦコードを登録し、ファクシミリ送信の際にＦコードを送信することで、受信先は送信先を識別できる。）等、相手方ファクシミリ装置４１や発信者を特定できる情報である。
【００４６】
前記フラッシュＲＯＭ１６（記憶部に相当）は、ファクシミリの受信通知先のアドレス情報や、受信したファクシミリの画像データの転送先のアドレス情報やファクシミリ番号や、タイマー送信の送信結果通知先のアドレス情報を記憶する。又、受信通知先、転送先、送信結果通知先の時間帯設定、日付設定等を記憶することもできる。尚、親展ボックス７ごとに（対応付けて）、受信通知先、受信画像データ転送先となる端末のアドレス情報を記憶する。又、これらの受信通知先等のデータは、ＨＤＤ１５に保存しても良い。
【００４７】
前記制御部５は、複合機１の各部を適切に制御し、各機能を実現する。そのための構成として、制御部５は、ＣＰＵ５１、ＲＡＭ５２、ＲＯＭ５３、計時部５４等を有する。
【００４８】
前記ＣＰＵ５１は、中央演算処理装置であって、ＲＯＭ５３、ＨＤＤ１５、フラッシュＲＯＭ１６等に格納され、ＲＡＭ５２に展開される制御プログラム、制御データに基づき複合機１の各部を制御する。前記ＲＯＭ５３は、複合機１の制御プログラムや制御データを格納し、ＣＰＵ５１は、ＲＯＭ５３から制御用プログラム等を読み出す。ＲＡＭ５２は、制御プログラムや制御データを一時的に展開する場合や、画像データを一時的に保存しておく場合などに用いられる。
【００４９】
そして、各種制御プログラムをＲＯＭ５３、ＨＤＤ１５、フラッシュＲＯＭ１６等から読み出して、ＲＡＭ５２上に展開し制御プログラムを駆動させ、ＣＰＵ５１が処理、演算することで、複合機１を構成し、又、制御部５と接続される原稿読取部１０、画像形成部１２等の各部の動作が的確に制御される。
【００５０】
前記計時部５４は、いわゆるタイマであって、日時を計時する。そして、ＣＰＵ５１は、ファクシミリのタイマー送信や、受信通知等が設定された時間帯、日付設定通りに行われるように、適宜、計時部５４から時刻情報、日付情報を受け取る。
【００５１】
ここで、タイマー送信とは、計時部５４による計時にあわせ、設定された時間、時刻に到った際に、ファクシミリの送信を行う機能である。例えば、相手方からの送信時刻の指定があった場合等に利用される。タイマー送信を行う場合、例えば、ＨＤＤ１５、フラッシュＲＯＭ１６等は、ファクシミリ送信を行う画像データを記憶しておき、計時部５４の計時により、送信時間に到った時に、制御部５による制御により、ファクシミリ通信部１７は画像データを相手方ファクシミリ装置４１等に送信する。そして、送信結果通知は、タイマー送信を設定した場合、相手先ファクシミリ装置４１が長時間話し中でつながらない場合や用紙切れ状態である場合など、必ず、タイマー送信が確実に行われるとは限らない。そこで、本実施形態の複合機１は、タイマー送信を行った場合、その送信結果を通知することで、ファクシミリの送信結果を確認でき、送信漏れを防ぐことができる。例えば、送信結果は、「タイマー送信は、正常に行われました。」、「タイマー送信は、正常に行われませんでした。」のような、テキストデータからなる電子メールが送信される。
【００５２】
前記ファクシミリ通信部１７は、公衆回線４と接続され、ファクシミリ通信を行う部分であり、例えば、画像メモリ、符号化部、復号化部、モデム、網制御部等を備える（不図示）。画像メモリは、ファクシミリで送受信される画像データを一時的に保存する。符号化部は、送信する画像データを規格上（例えばＧ３規格）定められる方式で、データの圧縮を行う。一方、復号化部は、データが圧縮されている受信した画像データの復号化を行う。モデムは、ファクシミリ送信では、符号化部で符号化された画像データの変調を行い、ファクシミリの受信では、受信した画像データの復調を行って、画像データを公衆回線４（電話回線）で送受信するため変換、逆変換を行う。網制御部は、公衆回線４の交換機に対し回線の接続、相手側のファクシミリ番号の通知、切断、通信先等の変更等の処理を行う部分であり、公衆回線４との実際の接続を担う部分である。
【００５３】
前記インターフェイス部１８は、ＬＡＮ２及び広域網（インターネット３）を介して、装置と通信可能とされる端末と通信を行うためのインターフェイスであって、複合機１を、ＬＡＮ２内のＰＣ２１や各サーバ、インターネット３と通信可能に接続するためのインターフェイスが集約されたものである。例えば、インターフェイス部１８は、制御部５を構成する制御基板に差し込まれ、様々なコネクタを備えるネットワークインターフェイスカードの形態をとる。
【００５４】
例えば、インターフェイス部１８は、高速双方向パラレル（IEEE1284準拠）や、ネットワークインタフェース（10Base-Ｔ/100Base-TX）や、その他ＵＳＢ（Universal Serial Bus）等のコネクタ、ソケットを有する。これらにより、図２に示すように、複合機１と、ＬＡＮ２により接続されたＰＣ２１や、インターネット３を介して接続されるインターネットファクシミリ３１、ＰＣ３２、ＰＤＡ３３、携帯電話３４等の端末とデータの送受信、即ち、通信可能とされる。
【００５５】
前記外部記憶装置用インターフェイス１９は、例えば、コンパクトフラッシュ（登録商標）やＳＤカードやＵＳＢメモリ等のような、携帯可能なメモリ内のデータ、画像データを複合機１内に取り込むためのインターフェイスである。各メディアを挿入可能なようにコネクタが設けられる。
【００５６】
このように、公衆回線４やインターネット３を介し、外部のファクシミリ装置４１、インターネットファクシミリ３１、ＰＣ３２、ＰＤＡ３３、携帯電話３４と通信可能に接続された複合機１における、ファクシミリ受信時の受信通知、受信した画像データの転送について、図３及び図４に基づき説明する。
【００５７】
図３は、本発明の第１の実施形態に係る複合機１の操作パネル６の一例を示す図であり、（ａ）は、操作パネル６の全体図、（ｂ）は、受信通知先、転送先の入力方法の一例を示す図である。図４は、本発明の第１の実施形態に係る受信通知及び画像データの転送先の時間帯設定画面の一例を示す図である。
【００５８】
まず、本実施形態における複合機１は、ＬＡＮ２内のＰＣ２１や、インターネット３を介して接続されるＰＣ３２等に、ファクシミリの受信通知を行う機能を有する。又、受信したファクシミリを他のファクシミリ装置４１や、インターネットファクシミリ３１やＰＣ３２に対し、受信画像データを転送する機能を有する。尚、受信画像データは、ＰＣ２１、３２等の各端末で印刷、閲覧できるように、制御部５は、所定のファイル形式（例えばｔｉｆｆ、ｊｐｅｇ、ｐｄｆ等のファイル形式）に変換した上で、転送可能である。又、タイマー送信の送信結果通知を行う機能を有する。
【００５９】
その設定を複合機１に対して行う部分として、図３（ａ）に示すように、操作パネル６（図２参照）が、通常、複合機１の正面上方に設けられる。操作パネル６は、テンキー６１、スタートキー６２等の入力、設定用の各種キーを備え、装置の動作状態や各種メッセージを表示し、又、タッチパネルにより各種設定、モード選択等を行うことができる液晶表示部６３を備える。従って、使用者は、操作パネル６から複合機１の動作について操作・設定可能である。
【００６０】
具体的に、使用者は、操作パネル６から、印刷枚数の設定や、印刷時や画像スキャンの際の拡大・縮小処理、濃度変更処理、枠消し処理等、複合機１の有する機能を設定できる。又、本発明に関し、複合機１でファクシミリ通信を行う場合、操作パネル６の左端に位置するファクシミリ機能キー６４を押した後、例えば、相手方のファクシミリ番号をテンキー６１から入力したり、液晶表示部６３で記憶された相手方を指定したり、送信する原稿の読取、解像度、用紙のサイズ等の設定等を行うことができる。
【００６１】
そして、図３（ｂ）に示すように、操作パネル６では、液晶表示部６３にソフトキーボード６５を表示することができる。液晶表示部６３は、タッチパネルとなっているから、液晶表示部６３を押下する位置にあわせて、ソフトキーボード６５上でどのキーが押されたかが判別される。そして、その押下した結果が、入力表示欄に表示される。
【００６２】
このソフトキーボード６５により、受信通知先や、画像データの転送先のアドレス情報等を操作パネル６から入力することができる。この入力結果は、制御部５に送信されるとともに、フラッシュＲＯＭ１６等に送信され、記憶される。
【００６３】
ここで、受信通知先や、画像データの転送先は、上述した各親展ボックス７と対応させ、各親展ボックス７に関連して設定されるようにしてもよい。即ち、親展ボックス７は、送信元情報に基づき、社内の各部署や、各担当者に割り当てられるので、送信元と受信通知先、受信画像データ転送先や各設定と担当者とを対応づけて記憶することができる。言い換えると、親展ボックス７に、受信したファクシミリの画像データが送信されたことを契機として、受信通知先又は、受信画像データ転送先として最も適切な、ＬＡＮ２内の各部署や各担当者のＰＣ２１、各担当者の携帯電話３４や、自宅のパソコン、ファクシミリ装置４１等に向けて、受信通知や画像の転送を行うことができる。
【００６４】
尚、受信通知先等の設定は、必ず親展ボックス７と対応させる必要はなく、親展ボックス機能がない場合などは、相手方ファクシミリ装置４１の送信元情報ごとに、受信通知先や、画像データの転送先を設定すれば良い。
【００６５】
具体的に、操作パネル６から設定する受信通知先や、画像データの転送先、タイマー送信の送信結果通知先のアドレス情報には、複合機１とインターネット３を介して接続されるＰＣ３２、ＰＤＡ３３、携帯電話３４、インターネットファクシミリ３１のメールアドレスや、ＬＡＮ２により接続されるＰＣ２１のメールアドレス、ＩＰアドレスが含まれる。又、画像データの転送先には、ファクシミリ装置４１も考えられるので、画像データの転送先としてのファクシミリ装置４１のファクシミリ番号を設定・入力することが可能である。
【００６６】
そして、図４に示すように、本発明の実施形態に係る複合機１では、各受信通知先、画像データの転送先、送信結果通知先を複数設定できるとともに、例えば、時間帯設定と日付設定を行うことが可能である。尚、図４では、親展ボックス７と、受信通知先や、画像データの転送先が対応付けられている場合を示す（以下、同じ）。
【００６７】
図４は、操作パネル６の液晶表示部６３での表示の一例を示し、この親展ボックス７での設定画面では、親展ボックス７のボックス番号やユーザＩＤが表示される。そして、複数の受信通知先や、画像データの転送先、送信結果通知先を設定するとともに、時間帯設定、日付設定を行うことが可能である。具体的には、例えば、受信通知チェックボックス７１、転送先チェックボックス７２、送信結果通知チェックボックス７９、送信先情報表示欄７３、時間帯設定ボタン７４、時間帯表示欄７５、日付設定ボタン７７、日付表示欄７８が液晶表示部６３に表示される。
【００６８】
前記受信通知チェックボックス７１、前記転送先チェックボックス７２、送信結果通知チェックボックス７９は、画面左方に並列して設けられ、各アドレス情報、ファクシミリ番号に対応して、受信通知等を行うことを指定するためのチェックボックスである。そして、受信通知チェックボックス７１にチェックがあれば、送信先情報表示欄７３に表示された端末に向けて受信通知を行い、転送先チェックボックス７２にチェックがあれば、その端末や転送先のファクシミリ装置４１に画像データの転送を行い、送信結果通知チェックボックス７９にチェックがあれば、その端末に送信結果通知を行う。
【００６９】
前記送信先情報表示欄７３は、送信結果通知チェックボックス７９の右方に設けられ、具体的な受信通知先、画像転送先を示すものであり、この欄を押下すれば、例えば、図３（ｂ）に示す、ソフトキーボード６５が呼び出され、アドレス情報等を変更・追加することができる。
【００７０】
前記時間帯設定ボタン７４は、例えば、送信先情報表示欄７３の下方に設けられ、受信通知等を行う時間帯の設定を行うためのボタンである。前記日付設定ボタン７７は、例えば、時間帯設定ボタン７４の下方に設けられ、実際に受信通知等を行う日付の設定を行うためのボタンである。この時間帯設定ボタン７４、日付設定ボタン７７を押下し、例えば、テンキー６１部での入力や、ソフトキーボード６５への入力により時間帯設定、日付設定を自由に行うことができる。
【００７１】
前記時間帯表示欄７５は、設定された時間帯を表示する。そして、前記日付表示欄７８は、設定された日付を表示する。複合機１は、制御部５による制御により、ファクシミリ通信部１７又はインターフェイス部１８を介し、計時部５４による計時と、時間帯設定、日付設定にあわせ、設定された端末やファクシミリ装置４１に受信通知、受信画像データの転送、送信結果通知を発信する。言い換えると、ファクシミリの受信を受けた際に行う受信通知等を、この時間帯設定、日付設定に基づき行う。これにより、使用者が希望する場所、時間で、受信通知等を受けることができる。しかも、受信通知先等は、複数設定でき、詳細な配信先の設定が行える。尚、これらの設定は、例えば、フラッシュＲＯＭ１６に保存される。
【００７２】
その設定の一例について説明すると、例えば、図４の最上段の送信先情報表示欄７３に関する設定では、親展ボックス７の担当者の出社時間帯では、ＬＡＮ２内での端末に受信通知がなされるように、受信通知チェックボックス７１をチェックし、受信通知先を担当者のＰＣ２１のメールアドレス（例えば、○○○○＠△△△.ｃｏ.ｊｐ、ＩＰアドレスでもよい。）に設定し、時間帯設定、日付設定を出社時間帯（例えば、ＡＭ９：００〜ＰＭ５：００、月曜日〜金曜日）とすることができる。
【００７３】
又、例えば、図４の中段の送信先情報表示欄７３に関する設定では、親展ボックス７の担当者の退社時間帯では、自宅のファクシミリ装置４１で画像データの転送が受けられるように、転送先チェックボックス７２をチェックし、受信画像データ転送先をファクシミリ番号（例えば、０１−２３４５−６７８９）に設定し、時間帯設定、日付設定を出社時間帯（例えば、ＡＭ９：００〜ＰＭ５：００、月曜日〜金曜日）とすることができる。
【００７４】
又、例えば、図４の下段の送信先情報表示欄７３に関する設定では、終日出張するため、担当者の所有する携帯電話３４、ＰＤＡ３３、ノートパソコン（ＰＣ３２）等に、受信通知や画像データの転送、送信結果通知がなされるように、受信通知チェックボックス７１等をチェックし、受信通知先に担当者の携帯電話３４等のアドレス（例えば、□□□□＠×××.ｃｏ.ｊｐ）を設定し、時間帯設定を終日（例えば、ＡＭ０：００〜ＰＭ１２：００）とし、更に、日付設定を実際の出張日（◇◇◇◇年☆☆月★★日）とすることができる。
【００７５】
又、このように、１日の勤務が終了し、退社後（例えば、時間帯設定をＰＭ５：００〜ＡＭ７：００）には、担当者の所有する携帯電話３４やＰＤＡ３３等に、受信通知がなされるように設定し、自宅のファクシミリ装置４１に転送されるようにファクシミリ番号を入力しておく等、適宜設定を行うことができる。尚、受信通知先、画像データの追加設定を行えるように、設定画面は複数ページを持つようにしても良い（次ページに移動するためのボタンがネクストページボタン７６）。
【００７６】
このように、操作パネル６は、ファクシミリを受信した際に、相手方ファクシミリの送信元情報に対応する受信通知先及び／又は受信画像データ転送先、送信結果通知先となり得る複数の端末のアドレス情報、ファクシミリ番号の入力を受け付けるとともに、端末ごとに受信通知及び／又は画像データの転送を行う時間帯を設定する入力部となる。
【００７７】
このようにして、複数の受信通知先、転送先、送信結果通知先について、それぞれ時間帯の設定が可能であるから、使用者が希望する、必要とする場所、端末で受信通知等を受け取ることができる（例えば、会社の自己のＰＣ２１だけでなく、自宅のパソコンや携帯電話３４等）。又、親展ボックス７に関連づけて、受信通知等を行うアドレス情報を設定することができるので、例えば、親展ボックス７に対応する顧客の担当者ごとにアドレス情報や時間帯設定を行うことができ、設定を行いやすい。更に、タイマー送信を設定した場合の送信が良好に行われたかどうかを確認するための送信結果を、使用者は希望する場所、時間、端末で受け取ることができ、ファクシミリの送信漏れを防ぐことができる。
【００７８】
次に、図１及び図５に基づき、本発明の第１の実施形態に係る複合機１の設定変更情報の受け付けについて説明する。図５は、複合機１の受信通知先等の変更を行う端末の表示装置に表示されるＷｅｂ画面の一例であり、（ａ）は、ユーザＩＤ及びパスワード入力画面の一例を示し、（ｂ）は、複合機１の受信通知先等の変更を行う画面の一例を示す。
【００７９】
本実施形態の複合機１は、図１に示すように、Ｗｅｂサーバ２３と通信可能にＬＡＮ２により接続される。そして、Ｗｅｂサーバ２３には、ＬＡＮ２内の各ＰＣ２１等の端末からアクセス可能である。又、Ｗｅｂサーバ２３には、インターネット３を介してＰＣ３２、ＰＤＡ３３、携帯電話３４等の端末も通信可能とされる。
【００８０】
従って、複合機１は、設定変更情報を複合機１と通信可能な端末から受け付けることが可能である。尚、設定変更情報とは、受信通知先、受信画像データ転送先、送信結果通知先の追加・変更や、時間帯設定、日付設定、各チェックボックスのチェックのＯＮ／ＯＦＦ等、受信通知、受信画像データ転送、送信結果通知に関する設定を変更するため、各端末から複合機１に向けて送信される情報、データである。
【００８１】
そして、本実施形態の複合機１は、この設定変更情報に基づき、制御部５による制御により、フラッシュＲＯＭ１６やＨＤＤ１５等に記憶される受信通知先、受信画像データ転送先、送信結果通知先等が追加・変更される。これにより、帰宅後や外出時に、受信通知先、受信画像データ転送先、送信結果通知先を変更し忘れた場合や、複合機１等の受信通知先等の設定を変えて帰宅、外出したものの、受信通知等が不要になった場合なども、直接複合機１を操作することなく、ＬＡＮ２内の端末や、インターネット３を介して接続される端末から設定を行うことができる。
【００８２】
しかし、複合機１に送信される全ての設定変更情報に基づき、受信通知先等を変更することは、セキュリティ管理上好ましくない。そこで、本実施形態の複合機１は、ユーザＩＤ及びパスワードを確認し、正当であると認められた場合に、設定変更情報に基づき、受信通知先及び／又は転送先の追加・変更を行なう。
【００８３】
具体的には、複合機１のフラッシュＲＯＭ１６等は、端末が送信する設定変更情報が権限を有する者から送信されているか否か判断するための複数のユーザＩＤ及びパスワードを記憶している。
【００８４】
そして、本実施形態の複合機１では、設定変更情報の入力は、各端末の表示装置（例えば、ディスプレイや液晶画面）にブラウザを介して表示されるＷｅｂ画面上で行われる。このＷｅｂ画面のデータの送信は、複合機１と通信可能に接続されるＷｅｂサーバ２３が行う。そして、各端末から、複合機１へのアクセス要求があった場合、Ｗｅｂサーバ２３が各端末にＷｅｂ画面のデータを各端末に送信する。
【００８５】
まず、図５（ａ）に示すように、各端末には、ユーザＩＤとパスワードを入力するための照合手続画面８１が表示される。この照合手続画面８１では、ユーザＩＤを入力するためのユーザＩＤ入力欄８２と、パスワードを入力するためのパスワード入力欄８３が設けられる。そして、設定変更情報を送信しようとする者は、自己に割り当てられた、ユーザＩＤ、パスワードを、各端末の入力装置で入力する。そして、ＯＫボタン８４を押すことで、Ｗｅｂサーバ２３に向けて、ユーザＩＤ及びパスワードが送信される。
【００８６】
ユーザＩＤ及びパスワードの送信を受けたＷｅｂサーバ２３は、複合機１に転送する。インターフェイス部１８を介して複合機１に入力されたユーザＩＤ及びパスワードは、制御部５により、フラッシュＲＯＭ１６等に記憶されるユーザＩＤ及びパスワードと照合するかを確認する。尚、複合機１がＷｅｂサーバ２３に対して、照合用のユーザＩＤとパスワードのデータを送信し、Ｗｅｂサーバ２３が、正当なユーザＩＤ、パスワードが送信されたかを確認しても良い。
【００８７】
そして、各端末からのユーザＩＤ、パスワードが照合できない場合は、フラッシュＲＯＭ１６は、受信通知先、受信画像データ転送先、送信結果通知先や時間帯設定等の各種設定の追加・変更を行わない。
【００８８】
一方、制御部５による照合の結果、ユーザＩＤ及びパスワードが正当であると判断されれば、Ｗｅｂサーバ２３は、図５（ｂ）に示すように、設定変更画面８５に付いてのデータを、認められた端末に向けて送信する。ここで、Ｗｅｂサーバ２３が送信するデータは、ユーザＩＤ（即ち、各使用者、各担当者）ごとに割り当てられる親展ボックス７単位とすることができる。尚、設定変更画面８５を表示するために必要なデータ（例えば、現在の受信通知先等の設定情報）は適宜、複合機１から受信すればよい。
【００８９】
具体的には、図５（ｂ）に示すように、フラッシュＲＯＭ１６等が、送信元情報に対応して記憶する受信通知先、受信画像データ転送先、送信結果通知先となる複数の前記端末のアドレス情報又はファクシミリ番号等の設定について、複数登録された受信通知、受信画像データ転送、送信結果通知の設定の切り替えを指示するものであってもよい。例えば、設定変更情報は、各チェックボックスのＯＮ／ＯＦＦの切替を指示するものとできる。
【００９０】
そして、これにより、各端末から送信される設定変更情報は、各親展ボックス７単位となり、各使用者がアクセスできる記憶領域に制限をかけることができる、言い換えると、各端末からＷｅｂサーバ２３を介し、複合機１に送信される設定変更情報は、親展ボックス７単位となるから、各端末から送信されたユーザＩＤ及びパスワードに応じて、制御部５及びフラッシュＲＯＭ１６は、追加・変更可能な記憶領域に制限をかける。
【００９１】
具体的に、各端末のブラウザ上で表示される設定変更画面８５の一例を見ると、図５（ｂ）に示すように、基本的には、図４で示した、操作パネル６の液晶表示部６３に表示される受信通知先等の設定画面と同様とすることができる。そして、各端末のキーボード等を駆使して各チェックボックス、アドレス情報、ファクシミリ番号、時間帯設定、日付設定を変更した上で、設定終了ボタン８６が押されれば、各端末からＷｅｂサーバ２３に向けて、設定変更情報が送信される。尚、Ｗｅｂ画面上の空欄部分（図４（ｂ）の最下段に位置）に入力することで、新たな受信通知先、時間設定等を行うこともできる。
【００９２】
そして、Ｗｅｂサーバ２３に送信された設定変更情報は、複合機１のインターフェイス部１８、制御部５に転送され、この設定変更情報に基づき、制御部５は、記憶部にフラッシュＲＯＭ１６等に記憶される受信通知先、受信画像データ転送先、送信結果通知先、時間帯設定、日付設定、各チェックボックスのＯＮ／ＯＦＦ等のデータを更新する。
【００９３】
このようにして、使用者が気付いた時点で、受信通知先や受信画像データ転送先の設定を、外部ネットワークの端末（例えば、自宅のパソコンや携帯電話３４等）から変更・追加することができる。従って、希望する場所で、希望する時に、受信通知や受信画像データ転送を受けることができるから、使用者の利便性が高く、受信したファクシミリの確認漏れを防ぐことができる。
【００９４】
又、複合機１（ファクシミリ装置）の受信通知先や受信画像データ転送先、送信結果通知先の設定の変更、追加を行う権限を有するか、ユーザＩＤとパスワードで確認するから、不正な目的を有する悪意の第三者による受信通知先等の設定の変更、追加を防ぐことができる。従って、情報漏洩を防ぐことができ、セキュリティを確保することができる。
【００９５】
又、受信通知先や受信画像データ転送先、送信結果通知先の設定の変更、追加しようとする者に対して与えられた記憶領域に対してのみ、受信通知先等の設定の変更、追加を行えるように制限をかけることができる。言い換えると、他人の受信通知先等の設定については、変更することができないように制限をかける。従って、セキュリティを高めることができる。
【００９６】
又、受信通知先や受信画像データ転送先や送信結果通知先の設定の変更を行う場合、複数登録された受信通知先等の変更を切り替える指示を与える（チェックボックスのＯＮ／ＯＦＦ）ものであればよいから、Ｅメールアドレス等のアドレス情報やファクシミリ番号を全て入力する必要がない。従って、受信通知先等の変更を容易に行うことができる。
【００９７】
又、タイマー送信の送信結果通知先を設定変更情報に含ませることができるので、送信結果通知先の設定変更も外部の端末から行うことができる。
【００９８】
又、Ｗｅｂサーバ２３によって、設定変更情報を入力するためのＷｅｂ画面を端末に表示させることができる。従って、端末では、Ｗｅｂ画面に基づき設定変更情報を入力すればよく、受信通知先、受信画像データ転送先、送信結果通知先の設定の変更、追加を容易に行うことができる。
【００９９】
次に、図６に基づき、本発明の第２の実施形態について説明する。図６は、本発明の第２の実施形態に係る複合機１の構成の一例を示すブロック図である。尚、この第２の実施形態では、Ｗｅｂサーバ２３を設けず、Ｗｅｂサーバ２３の機能を有するサーバ部９を複合機１内に実装した点で異なるのみである。言い換えると、複合機１は、端末に対し、端末上で設定変更情報に関する入力をするためのＷｅｂ画面のデータを送信するサーバ部９を有する点で異なる。
【０１００】
尚、第２の実施形態の基本的な構成、効果は、図１〜５を用いて説明した上記の第１の実施形態と同様であるから、上記の第１の実施形態と共通する構成については、図面の記載及び説明を省略する。
【０１０１】
図６に示すように、複合機１がサーバ部９を備えれば、ＬＡＮ２内のＰＣ２１やインターネット３を介して接続される各端末とＷｅｂサーバ２３を介さないで通信を行うことができる。尚、複合機１は、通信を行うための構成として、インターフェイス部１８を有し、このインターフェイス部１８で入出力されるデータのうち、受信通知先等の設定変更に関する要求、データをサーバ部９で扱わせればよく、その効果は、上記の第１の実施形態と大差はない。
【０１０２】
このようにして、Ｗｅｂサーバ機能を、サーバ部９が有しても、端末から、Ｗｅｂ画面に基づき設定変更情報を入力すれば、受信通知先、受信画像データ転送先、送信結果通知先の設定の変更、追加を容易に行うことができる。
【０１０３】
以上、本発明の実施形態を説明したが、本発明の範囲はこれに限定されず、発明の主旨を逸脱しない範囲で種々の変更を加えて実施することができる。
【産業上の利用可能性】
【０１０４】
本発明は、ネットワーク通信機能を有するファクシミリ装置、複合機等に利用可能である。これらの装置とネットワークにより接続された端末により形成されるファクシミリシステムに利用可能である。
【図面の簡単な説明】
【０１０５】
【図１】第１の実施形態に係るファクシミリシステムの一例を示す構成図である。
【図２】第１の実施形態に係る複合機の構成の一例を示すブロック図である。
【図３】第１の実施形態に係る複合機の操作パネルの一例を示す図であり、（ａ）は、操作パネル６の全体図、（ｂ）は、受信通知先、転送先の入力方法の一例を示す図である。
【図４】第１の実施形態に係る受信通知及び画像データの転送先の時間帯設定画面の一例を示す図である。
【図５】第１の実施形態に係る複合機の受信通知先等の変更を行う端末の表示装置に表示されるＷｅｂ画面の一例であり、（ａ）は、ユーザＩＤ及びパスワード入力画面の一例を示し、（ｂ）は、複合機の受信通知先等の変更を行う画面の一例を示す。
【図６】第２の実施形態に係る複合機の構成の一例を示すブロック図である。
【符号の説明】
【０１０６】
１    複合機（ファクシミリ装置）    ３１  インターネットファクシミリ（端末）
１５  ＨＤＤ（記憶部）              ３２  ＰＣ（端末）
１６  フラッシュＲＯＭ（記憶部）    ３３  ＰＤＡ（端末）
１７  ファクシミリ通信部            ３４  携帯電話（端末）
１８  インターフェイス部            ４    公衆回線
２    ＬＡＮ                        ５    制御部（判定部）
２１  ＰＣ（端末）                  ５４  計時部
２３  Ｗｅｂサーバ（サーバ装置）    ９    サーバ部
３    インターネット（広域網）
【図１】
2009060211.tif 000003
【図２】
2009060211.tif 000004
【図３】
2009060211.tif 000005
【図４】
2009060211.tif 000006
【図５】
2009060211.tif 000007
【図６】
2009060211.tif 000008